(57)【要約】【課題】各視野角方向に位置する観衆がそれぞれ所望する映像を同時に表示するに際し専用画面をそれぞれ設ける必要がない映像表示システムを提供すること。【解決手段】デュエルビュー液晶である大型画像表示パネル１２に対して異なる視野角方向９７，９８，９９に位置する各観衆Ａ，Ｂ，Ｃに対し、自らの位置とは違った視野角方向９７，９８，９９に位置する各ビデオカメラ２７Ｃ，２７Ｒ，２７Ｌからのビデオカメラ映像を、正面画像２０１，右斜画像２０２，左斜画像２０３として、大型画像表示パネル１２で同時に見せる。【選択図】図５
2007225823.tif 000002
【特許請求の範囲】
【請求項１】
第１視野角方向から視認することができる第１画像と、前記第１視野角方向とは異なる第２視野角方向から視認することができる第２画像とを同一画面で同時表示する表示手段と、
前記第１視野角方向からの第１映像を撮像することができる第１撮像手段と、
前記第２視野角方向からの第２映像を撮像することができる第２撮像手段と、
前記第１映像又は前記第２映像を前記第１画像として表示させるとともに前記第１映像又は前記第２映像を前記第２画像として表示させるように前記表示手段を制御する表示制御手段と、を有すること、を特徴とする画像表示システム。
【請求項２】
前記表示制御手段によって前記第１画像として表示されている前記第１映像又は前記第２映像を一方から他方に切り替えて表示するように前記表示手段を制御する第１切替手段と、
前記表示制御手段によって前記第２画像として表示されている前記第１映像又は前記第２映像を一方から他方に切り替えて表示するように前記表示手段を制御する第２切替手段と、を有すること、を特徴とする請求項１に記載の画像表示システム。
【請求項３】
前記第１切替手段による切替表示を遊技者の操作によって実行させる手動操作第１切替手段と、
前記第２切替手段による切替表示を遊技者の操作によって実行させる手動操作第２切替手段と、を有すること、を特徴とする請求項２に記載の画像表示システム。
【請求項４】
第１時間スケジュール又は第２時間スケジュールを入力することができる入力手段と、
前記入力手段で入力された第１時間スケジュール又は第２時間スケジュールを記憶することができる記憶手段と、
前記第１切替手段による切替表示を前記記憶手段から読み出した第１時間スケジュールに基づいて実行させる自動操作第１切替手段と、
前記第２切替手段による切替表示を前記記憶手段から読み出した第２時間スケジュールに基づいて実行させる自動操作第２切替手段と、を有すること、を特徴とする請求項２に記載の画像表示システム。
【請求項５】
前記第１視野角方向は前記表示手段の正面方向を含むこと、を特徴とする請求項１乃至請求項４のいずれか一つに記載の画像表示システム。
【発明の詳細な説明】
【技術分野】
【０００１】
本発明は、視野角方向に応じて異なる画像を同時に表示する液晶ディスプレイを使用した映像表示システムに関するものである。
【背景技術】
【０００２】
液晶ディスプレイは、二つの基板の間に注入されている異方性誘電率を有する液晶層を有し、その液晶層に印加する電界の強さを調節することで、基板を透過する光の量を調節し、所望の静止画像や動画像を表示させる表示器である。このような液晶ディスプレイは、軽量化、薄型化、低消費電力化等に優れており、携帯電話、カーナビ、ＰＤＡ、パーソナル・コンピュータ、テレビ受信機等の身近な機器に限らず、計測機器、医療機器、産業機器全般等の表示器として採用されている。
【０００３】
また、近年では上記液晶ディスプレイとして視野角方向に応じて異なる画像を同時に表示するデュアルビュー液晶やデュエルビュー液晶と呼ばれるディスプレイが提案されている（例えば、特開２００５−９９７８７号公報）。それによって、画面の切換や分割を行うことなく、異なる画像を一の画面で同時に表示することが可能となる。そして、上記デュアルビュー液晶やデュエルビュー液晶を、その特性を生かして様々な分野に適用することが望まれていた。
【特許文献１】特開２００５−９９７８７号公報（第１１頁〜第１３頁、図５〜図１０）
【発明の開示】
【発明が解決しようとする課題】
【０００４】
ところで、液晶ディスプレイは、年々の大型化に伴って、コンサート会場や競技会場などで使用されることが多くなってきている。そして、その際に使用される大型液晶ディスプレイにおいては、一般的には、異なる場所に配置されている複数のカメラで撮像された映像が切り替えられながら順次に表示される。このとき、観衆の舞台・フィールドなどに対する視野角方向が自らの座席位置によって限定されることを考慮すると、大型液晶ディスプレイを見る観衆は、自分の視野角方向とは異なる視野角方向の映像が表示されることを所望するものである。なぜなら、例えば、舞台・フィールドの正面に座席がある観衆は、同じく正面に配置されているカメラで撮像された映像と同一の様子を肉眼やオペラガラスなどで見ることができるので、正面とは異なる場所に配置されているカメラからの映像を大型液晶ディスプレイに多く表示してもらいたいと望むからである。
【０００５】
しかしながら、大型液晶ディスプレイの映像効果は、座席の位置に関係なく全ての観衆を満足させるべきものであることから、特定領域に位置する観衆のみに配慮した映像を大型液晶ディスプレイに表示させるわけにはいかなかった。従って、各視野角方向に位置する観衆のニーズにそれぞれ応えようとすれば、それぞれ専用の大型液晶ディスプレイを設ける必要があった。
【０００６】
そこで、本発明は、上述した点を鑑みてなされたものであり、各視野角方向に位置する観衆がそれぞれ所望する映像を同時に表示するに際し、専用画面をそれぞれ設ける必要がない映像表示システムを提供することを課題とする。
【課題を解決するための手段】
【０００７】
この課題を解決するために成された請求項１に係る発明は、画像表示システム（例えば、画像表示システム１）であって、第１視野角方向（例えば、第１視野角方向９７）から視認することができる第１画像（例えば、正面画像２０１）と、前記第１視野角方向（例えば、第１視野角方向９７）とは異なる第２視野角方向（例えば、第２視野角方向９８，第３視野角方向９９）から視認することができる第２画像（例えば、右斜画像２０２，左斜画像２０３）とを同一画面で同時表示する表示手段（例えば、大型画像表示パネル１２）と、前記第１視野角方向（例えば、第１視野角方向９７）からの第１映像（例えば、正面用ビデオカメラ映像１０１）を撮像することができる第１撮像手段（例えば、正面用ビデオカメラ２７Ｃ，正面用ビデオキャプチャボード２５Ｃ）と、前記第２視野角方向（例えば、第２視野角方向９８，第３視野角方向９９）からの第２映像（例えば、右斜用ビデオカメラ映像１０２，左斜用ビデオカメラ映像１０３）を撮像することができる第２撮像手段（例えば、右斜用ビデオカメラ２７Ｒ，右斜用ビデオキャプチャボード２５Ｒ，左斜用ビデオカメラ２７Ｌ，左斜用ビデオキャプチャボード２５Ｌ）と、前記第１映像（例えば、正面用ビデオカメラ映像１０１）又は前記第２映像（例えば、右斜用ビデオカメラ映像１０２，左斜用ビデオカメラ映像１０３）を前記第１画像（例えば、正面画像２０１）として表示させるとともに前記第１映像（例えば、正面用ビデオカメラ映像１０１）又は前記第２映像（例えば、右斜用ビデオカメラ映像１０２，左斜用ビデオカメラ映像１０３）を前記第２画像（例えば、右斜画像２０２，左斜画像２０３）として表示させるように前記表示手段（例えば、大型画像表示パネル１２）を制御する表示制御手段（例えば、ＣＰＵ１４，グラフィックボード２６）と、を有すること、を特徴としている。
【０００８】
また、請求項２に係る発明は、請求項１に記載の画像表示システム（例えば、画像表示システム１）であって、前記表示制御手段（例えば、ＣＰＵ１４，グラフィックボード２６）によって前記第１画像（例えば、正面画像２０１）として表示されている前記第１映像（例えば、正面用ビデオカメラ映像１０１）又は前記第２映像（例えば、右斜用ビデオカメラ映像１０２，左斜用ビデオカメラ映像１０３）を一方から他方に切り替えて表示するように前記表示手段（例えば、大型画像表示パネル１２）を制御する第１切替手段（例えば、ＣＰＵ１４，グラフィックボード２６）と、前記表示制御手段（例えば、ＣＰＵ１４，グラフィックボード２６）によって前記第２画像（例えば、右斜画像２０２，左斜画像２０３）として表示されている前記第１映像（例えば、正面用ビデオカメラ映像１０１）又は前記第２映像（例えば、右斜用ビデオカメラ映像１０２，左斜用ビデオカメラ映像１０３）を一方から他方に切り替えて表示するように前記表示手段（例えば、大型画像表示パネル１２）を制御する第２切替手段（例えば、ＣＰＵ１４，グラフィックボード２６）と、を有すること、を特徴としている。
【０００９】
また、請求項３に係る発明は、請求項２に記載の画像表示システム（例えば、画像表示システム１）であって、前記第１切替手段（例えば、ＣＰＵ１４，グラフィックボード２６）による切替表示を遊技者の操作によって実行させる手動操作第１切替手段（例えば、ＣＰＵ１４，グラフィックボード２６）と、前記第２切替手段（例えば、ＣＰＵ１４，グラフィックボード２６）による切替表示を遊技者の操作によって実行させる手動操作第２切替手段（例えば、ＣＰＵ１４，グラフィックボード２６）と、を有すること、を特徴としている。
【００１０】
また、請求項４に係る発明は、請求項２に記載の画像表示システム（例えば、画像表示システム１）であって、第１時間スケジュール又は第２時間スケジュールを入力することができる入力手段（例えば、キーボード２３，マウス２４）と、前記入力手段（例えば、キーボード２３，マウス２４）で入力された第１時間スケジュール又は第２時間スケジュールを記憶することができる記憶手段（例えば、ＲＡＭ１７）と、前記第１切替手段（例えば、ＣＰＵ１４，グラフィックボード２６）による切替表示を前記記憶手段（例えば、ＲＡＭ１７）から読み出した第１時間スケジュールに基づいて実行させる自動操作第１切替手段（例えば、ＣＰＵ１４，グラフィックボード２６）と、前記第２切替手段（例えば、ＣＰＵ１４，グラフィックボード２６）による切替表示を前記記憶手段（例えば、ＲＡＭ１７）から読み出した第２時間スケジュールに基づいて実行させる自動操作第２切替手段（例えば、ＣＰＵ１４，グラフィックボード２６）と、を有すること、を特徴としている。
【００１１】
また、請求項５に係る発明は、請求項１乃至請求項４のいずれか一つに記載の画像表示システム（例えば、画像表示システム１）であって、前記第１視野角方向（例えば、第１視野角方向９７）は前記表示手段（例えば、大型画像表示パネル１２）の正面方向を含むこと、を特徴としている。
【発明の効果】
【００１２】
すなわち、本発明の画像表示システムでは、同一画面に対して異なる視野角方向に位置する各観衆が自らの位置とは違った視野角方向の映像を同一画面で同時に見ることができるので、各視野角方向に位置する観衆をそれぞれ対象にした複数の専用画面を設ける必要がない。
【発明を実施するための最良の形態】
【００１３】
以下、本発明の実施の形態を図面を参照にして説明する。図３は、本実施形態に係る画像表示システムの概略構成を示すブロック図である。図３に示すように、本実施形態に係る画像表示システム１は、大型画像表示パネル１２や、パーソナル・コンピュータ１３、３個のビデオキャプチャボード２５Ｌ，２５Ｃ，２５Ｒ、グラフィックボード２６、３個のビデオカメラ２７Ｌ，２７Ｃ，２７Ｒ等から構成されている。
【００１４】
この点、パーソナル・コンピュータ１３は、本体２１や、ディスプレイ２２、キーボード２４、マウス２５で構成されている。そして、本体２１の拡張スロットには、各ビデオキャプチャボード２５Ｌ，２５Ｃ，２５Ｒやグラフィックボード２６がそれぞれ取り付けられている。さらに、各ビデオキャプチャボード２５Ｌ，２５Ｃ，２５Ｒに対しては各ビデオカメラ２７Ｌ，２７Ｃ，２７Ｒがそれぞれ接続されており、グラフィックボード２６に対しては大型画像表示パネル１２が接続されている。
【００１５】
図２は、本実施形態に係る画像表示システム１の大型画像表示パネル１２の設置例を示した図である。図２の設置例では、本実施形態に係る画像表示システム１の大型画像表示パネル１２を、その表示面が客席２９に向かうようにして、劇場舞台１１の上方において設置している。そして、大型画像表示パネル１２は、デュエルビュー液晶であることから、劇場舞台１１に向かって正面方向（以下、単に「正面方向」という）から視認することができる正面画像と、劇場舞台１１に向かって左斜方向（以下、単に「左斜方向」という）から視認することができる左斜画像と、劇場舞台１１に向かって右斜方向（以下、単に「右斜方向」という）から視認することができる右斜画像とを同時表示することが可能である。
【００１６】
以下に、デュエルビュー液晶の原理について図５を用いて簡単に説明する。図５は大型画像表示パネル１２の構造を模式的に示した平面図である。
図５に示すように大型画像表示パネル１２は、バックライト９０と、ピクセル化画像表示層９１と、視差バリア９２から構成されている。
ここで、バックライト９０は大型画像表示パネル１２を背後から照らす光源であり、冷陰極蛍光ランプと導光板を組み合わせることによって構成される。
また、ピクセル化画像表示層９１は、図示しない基板の間に配置された液晶層であり、多数の画素が行及び列状に配置される。特に、本実施形態では、劇場舞台１１の正面方向に位置する観衆Ａに向けた正面画像２０１が画素列９３に表示され、劇場舞台１１の左斜方向に位置する観衆Ｃに向けた左斜画像２０３が次の画素列９４に表示され、劇場舞台１１の右斜方向に位置する観衆Ｂに向けた右斜画像２０２が次の画素列９５に表示される。そして、上記画素列９３、画素列９４及び画素列９５を順に繰り返し配置することにより、本実施形態に係るピクセル化画像表示層９１が構成される。尚、本実施形態では画素列９３と画素列９４と画素列９５とに表示する画像は全部又は一部が同一であっても良く、また、それぞれ異なる画像を表示するようにしても良い。
また、視差バリア９２は、不透明領域によって隔たれた垂直な透光性スリット９６を複数有するスクリーンである（図５では複数ある内の一つの透光性スリット９６のみを示すこととする）。
【００１７】
そして、ピクセル化画像表示層９１の画素列９３を透過したバックライト９０からの光が複数の透光性スリット９６を介して劇場舞台１１の正面方向を含む第１視野角方向９７にいる観衆Ａに到達し、観衆Ａは大型画像表示パネル１２に表示された正面画像２０１を視認することが可能となる。一方、画素列９５を透過したバックライト９０からの光が複数の透光性スリット９６を介して劇場舞台１１の右斜方向を含む第２視野角方向９８にいる観衆Ｂに到達し、観衆Ｂは大型画像表示パネル１２に表示された右斜画像２０２を視認することが可能となる。また、画素列９４を透過したバックライト９０からの光が複数の透光性スリット９６を介して劇場舞台１１の左斜方向を含む第３視野角方向９９にいる観衆Ｃに到達し、観衆Ｃは大型画像表示パネル１２に表示された左斜画像２０３を視認することが可能となる。
以上より、本実施形態に係る画像表示システム１では、劇場舞台１１の正面方向に位置する観衆Ａの視野角方向である第１視野角方向９７から視認することができる正面画像２０１と、劇場舞台１１の右斜方向に位置する観衆Ｂの視野角方向である第２視野角方向９８から視認することができる右斜画像２０２と、劇場舞台１１の左斜方向に位置する観衆Ｃの視野角方向である第３視野角方向９９から視認することができる左斜画像２０３と、を大型画像表示パネル１２に同時表示することが可能となる。このとき、各ビデオカメラ２７Ｌ，２７Ｃ，２７Ｒで撮像された映像のいずれかが、正面画像２０１及び、右斜画像２０２、左斜画像２０３として、大型画像表示パネル１２に同時表示される。
【００１８】
尚、劇場舞台１１の正面方向を含む第１視野角方向９７にはビデオカメラ２７Ｃが配置されており、劇場舞台１１の右斜方向を含む第２視野角方向９８にはビデオカメラ２７Ｒが配置されており、劇場舞台１１の左斜方向を含む第３視野角方向９９にはビデオカメラ２７Ｌが配置されている。よって、以下からは、各ビデオカメラ２７Ｌ，２７Ｃ，２７Ｒについては、個別に言及するときは、正面用ビデオカメラ２７Ｃ、右斜用ビデオカメラ２７Ｒ、左斜用ビデオカメラ２７Ｌと記載する。また、各ビデオキャプチャボード２５Ｌ，２５Ｃ，２５Ｒについても、個別に言及するときは、正面用ビデオキャプチャボード２５Ｃ、右斜用ビデオキャプチャボード２５Ｒ、左斜用ビデオキャプチャボード２５Ｌと記載する。
【００１９】
続いて、本実施形態に係る画像表示システム１の制御系に係る構成について図４に基づき説明する。図４は本実施形態に係る画像表示システム１の制御系を模式的に示すブロック図である。
【００２０】
図４に示すように、本実施形態に係る画像表示システム１の制御系は、パーソナル・コンピュータ１３の本体２１及び、その入出力装置であるディスプレイ２２や、キーボード２３、マウス２４、また、その周辺機器である大型画像表示パネル１２や、正面用ビデオカメラ２７Ｃ、右斜用ビデオカメラ２７Ｒ、左斜用ビデオカメラ２７Ｌなどから構成されている。
【００２１】
この点、パーソナル・コンピュータ１３の本体２１には、マザーボード２８や各種拡張ボードが組み込まれている。
先ず、マザーボード２８について説明する。マザーボード２８には、ＣＰＵ１４と、ＲＯＭ１６と、ＲＡＭ１７とを備えている。
【００２２】
ＲＯＭ１６は、フラッシュメモリ等のメモリデバイスからなり、ＣＰＵ１４により実行されるＢＩＯＳ等のプログラムやパターンテーブル（図９参照）等の恒久的なデータが記憶されている。ＣＰＵ１４によってＢＩＯＳが実行されると、周辺機器等に対する所定の初期化処理等が行われ、その後に、大型画像表示パネル１２に対する画像表示の制御が行われる。
ＲＡＭ１７には、ＣＰＵ１４が作動する際に用いられるデータやプログラムが記憶される。
【００２３】
また、マザーボード２８には、上述したディスプレイ２２や、キーボード２３、マウス２４に加えて、電源ユニット１５やハードディスク３０が接続されている。
電源ユニット１５からマザーボード２８に電力が供給されると、マザーボード１５のＣＰＵ１４が起動される。
ハードディスク３０には、例えば、後述する図１４のタイムテーブルシートなどが記憶される。
【００２４】
また、マザーボード２８には、拡張ボードとして、グラフィックボード２６や、正面用ビデオキャプチャボード２５Ｃ、右斜用ビデオキャプチャボード２５Ｒ、左斜用ビデオキャプチャボード２５Ｌが組み込まれている。
【００２５】
この点、グラフィックボード２６は、大型画像表示パネル１２が接続されており、ＣＰＵ１４からの制御信号に基づいて、大型画像表示パネル１２における画像表示を制御する。
【００２６】
また、正面用ビデオキャプチャボード２５Ｃは、正面用ビデオカメラ２７Ｃが接続されており、正面用ビデオカメラ２７Ｃからの映像をパーソナル・コンピュータ１３に送り込む。尚、正面用ビデオキャプチャボード２５の機種は、正面用ビデオカメラ２７Ｃからの映像信号の特性（デジタル・アナログ）によって異なる。これらの点は、右斜用ビデオキャプチャボード２５Ｒや左斜用ビデオキャプチャボード２５Ｌにおいても同様である。
【００２７】
次に、大型画像表示パネル１２に対する画像表示の制御内容について説明する。図１は、本実施形態に係る画像表示システム１の大型画像表示パネル１２に表示される正面画像２０１及び、右斜画像２０２、左斜画像２０３の一例を示した図である。
図１に示すように、観衆Ａ（劇場舞台１１の正面方向を含む第１視野角方向９７に位置する観衆）に対して表示される正面画像２０１や、観衆Ｂ（劇場舞台１１の右斜方向を含む第２視野角方向９８に位置する観衆）に対して表示される右斜画像２０２、観衆Ｃ（劇場舞台１１の左斜方向を含む第３視野角方向９９に位置する観衆）に対して表示される左斜画像２０３においては、正面用ビデオカメラ２７Ｃ（劇場舞台１１の正面方向を含む第１視野角方向９７に位置するビデオカメラ）からの映像１０１（以下、「正面用ビデオカメラ映像１０１」）や、右斜用ビデオカメラ２７Ｒ（劇場舞台１１の右斜方向を含む第２視野角方向９８に位置するビデオカメラ）からの映像１０２（以下、「右斜用ビデオカメラ映像１０２」）、左斜用ビデオカメラ２７Ｌ（劇場舞台１１の左斜方向を含む第３視野角方向９９に位置するビデオカメラ）からの映像１０３（以下、「左斜用ビデオカメラ映像１０３」）の何れかから何れかに手動又は自動で切り替わる。
【００２８】
この点、本実施の形態では、手動による画像表示の制御については、マウス２４等の操作を契機にして画像表示切替が行われる。一方、自動による画像表示の制御については、画像表示切替パターンをＲＯＭ１６に予め記憶しておき、この画像表示切替パターンによる時間スケジュールに基づいて行われる。
ここで、ＲＯＭ１６に予め記憶されている画像表示切替パターンの一例について図９に基づき説明する。図９は、本実施形態に係る画像表示システム１の画像表示切替パターンが格納されたパターンテーブルを示した図である。
【００２９】
図９に示すように、画像表示切替パターンの一つであるパターンＡは、第１画像処理と第２画像処理と第３画像処理とで構成されている。ここで、符号ｔは各画像処理の継続時間を意味し、また、符号Ｌは各画像処理で左斜画像２０３として表示される映像の種類を意味し、符号Ｃは各画像処理で正面画像２０１として表示される映像の種類を意味し、符号Ｒは各画像処理で右斜画像２０２として表示される映像の種類を意味する。また、各符号の添字は各画像処理を意味している。
【００３０】
従って、パターンＡにおいては、左斜画像２０３として左斜用ビデオカメラ映像１０３が表示され、正面画像２０１として正面用ビデオカメラ映像１０１が表示され、右斜画像２０２として右斜用ビデオカメラ映像１０２が表示される第１画像処理が２０秒間継続され、その後に、左斜画像２０３として正面用ビデオカメラ映像１０１が表示され、正面画像２０１として右斜用ビデオカメラ映像１０２が表示され、右斜画像２０２として左斜用ビデオカメラ映像１０３が表示される第２画像処理が１５秒間継続され、その後に、左斜画像２０３として右斜用ビデオカメラ映像１０２が表示され、正面画像２０１として左斜用ビデオカメラ映像１０３が表示され、右斜画像２０２として正面用ビデオカメラ映像１０１が表示される第３画像処理が２５秒間継続され、その後も、第１画像処理、第２画像処理、第３画像処理の順序をもって、自動による画像表示切替が行われる。
【００３１】
尚、本実施形態では、ＲＯＭ１６に予め記憶されている画像表示切替パターンは、図９に示すように、パターンＡ、パターンＢ、…と複数有しており、自動による画像表示の制御の際に所望のパターンが選択される。この点、各パターンは、パターンＡと同様にして、３つの画像処理からなる構成を有しているが、それぞれのｔｎ，Ｌｎ，Ｃｎ，Ｒｎ（ｎ＝１，２，３）には、各視野角方向９７，９８，９９に位置する観衆Ａ，Ｂ，Ｃのニーズに配慮された時間や映像が指定されている。もっとも、ＲＯＭ１６に予め記憶されている画像表示切替パターンが１つであってもよい。
【００３２】
続いて、このような手動又は自動で切り替わるような画像表示の制御を本実施形態に係る画像表示システム１で行うための処理について図６〜図８に基づき説明する。図６は本実施形態に係る画像表示システム１における表示制御処理プログラムのフローチャートである。図７は本実施形態に係る画像表示システム１における手動操作処理プログラムのフローチャートである。図８は本実施形態に係る画像表示システム１における自動操作処理プログラムのフローチャートである。
尚、図６〜図８にフローチャートで示すプログラムはパーソナル・コンピュータ１３が備えているＲＯＭ１６やＲＡＭ１７に記憶されており、ＣＰＵ１４により実行される。
【００３３】
本実施形態に係る画像表示システム１では、画像表示の制御を行う際には、先ず、図６に示すように、ステップ（以下、「Ｓ」と略記する。）１１に進んで、メニューの選択を行う。このメニューの選択では、例えば、図１０に示すようなメニュー画面３０１がディスプレイ２２に表示される。さらに、メニュー画面３０１には、手動操作ボタン３０２や、自動操作ボタン３０３、解除ボタン３０４、マウス・ポインタ３０５などが表示される。従って、マウス２４を使用してマウス・ポインタ３０５を手動操作ボタン３０２に合わせてクリックすれば、手動操作ボタン３０２を選択することができる。この点は、自動操作ボタン３０３や解除ボタン３０４についても同様である。尚、各種ボタン３０２，３０３，３０４の選択はキーボード２３を使用して行うようにしてもよい。
【００３４】
図６に戻り、Ｓ１２では、手動操作を選択したか否かを判定する。この判定では、メニュー画面３０１上で手動操作ボタン３０２が選択されることによって、手動操作を選択したと判定する（図１０参照）。ここで、手動操作を選択したと判定する場合には（Ｓ１２：ＹＥＳ）、Ｓ１３に進んで、後述する図７の手動操作処理を実行した後に、上述したＳ１１に戻る。一方、手動操作を選択していないと判定する場合には（Ｓ１２：ＮＯ）、Ｓ１４に進む。
【００３５】
Ｓ１４では、自動操作を選択したか否かを判定する。この判定では、メニュー画面３０１上で自動操作ボタン３０３が選択されることによって、自動操作を選択したと判定する（図１０参照）。ここで、自動操作を選択したと判定する場合には（Ｓ１４：ＹＥＳ）、Ｓ１５に進んで、後述する図８の自動操作処理を実行した後に、上述したＳ１１に戻る。一方、自動操作を選択していないと判定する場合には（Ｓ１４：ＮＯ）、Ｓ１６に進む。
【００３６】
Ｓ１６では、解除を選択したか否かを判定する。この判定では、メニュー画面３０１上で解除ボタン３０４が選択されることによって、解除を選択したと判定する。ここで、解除を選択したと判定する場合には（Ｓ１６：ＹＥＳ）、本プログラムを終了する。一方、解除を選択していないと判定する場合には（Ｓ１６：ＮＯ）、上述したＳ１１に戻る。
【００３７】
次に、図６のＳ１３の手動操作処理について図７に基づいて説明する。図６のＳ１３の手動操作処理が実行されると、先ず、図７に示すように、Ｓ２１に進んで、初期画像処理が行われる。この初期画像処理では、大型画像表示パネル１２に対し、左斜画像２０３として左斜用ビデオカメラ映像１０３を表示し、正面画像２０１として正面用ビデオカメラ映像１０１を表示し、右斜画像２０２として右斜用ビデオカメラ映像１０２を表示する。
【００３８】
その後は、Ｓ２２に進んで、ディスプレイ２２に手動操作画面を表示する。この点、手動操作画面の一例を図１１に示す。図１１に示す手動操作画面４０１には、左斜画像ボタン４０２や、正面画像ボタン４０３、右斜画像ボタン４０４、左斜用ビデオカメラ映像ボタン４０５、正面用ビデオカメラ映像ボタン４０６、右斜用ビデオカメラ映像ボタン４０７、画像選択ボタン４０８、映像選択ボタン４０９、変更ボタン４１０、解除ボタン４１１、マウス・ポインタ４１２などが表示される。
【００３９】
さらに、左斜画像ボタン４０２には大型画像表示パネル１２で左斜画像２０３として現在表示されている映像が表示され、正面画像ボタン４０３には大型画像表示パネル１２で正面画像２０１として現在表示されている映像が表示され、右斜画像ボタン４０４には大型画像表示パネル１２で右斜画像２０２として現在表示されている映像が表示される。また、左斜用ビデオカメラ映像ボタン４０５には左斜用ビデオカメラ映像１０３が表示され、正面用ビデオカメラ映像ボタン４０６には正面用ビデオカメラ映像１０１が表示され、右斜用ビデオカメラ映像ボタン４０７には右斜用ビデオカメラ映像１０２が表示される。
【００４０】
従って、マウス２４を使用してマウス・ポインタ４１２を左斜画像ボタン４０２に合わせてクリックし、さらに、マウス・ポインタ４１２を画像選択ボタン４０８に合わせてクリックすれば、左斜画像２０３を選択画像（後述する図７のＳ２５参照）とすることができる。また、マウス２４を使用してマウス・ポインタ４１２を正面画像ボタン４０３に合わせてクリックし、さらに、マウス・ポインタ４１２を画像選択ボタン４０８に合わせてクリックすれば、正面画像２０１を選択画像（後述する図７のＳ２５参照）とすることができる。また、マウス２４を使用してマウス・ポインタ４１２を右斜画像ボタン４０４に合わせてクリックし、さらに、マウス・ポインタ４１２を画像選択ボタン４０８に合わせてクリックすれば、右斜画像２０２を選択画像（後述する図７のＳ２５参照）とすることができる。
【００４１】
また、マウス２４を使用してマウス・ポインタ４１２を左斜用ビデオカメラ映像ボタン４０５に合わせてクリックし、さらに、マウス・ポインタ４１２を映像選択ボタン４０９に合わせてクリックすれば、左斜用ビデオカメラ映像１０３を選択カメラ映像（後述する図７のＳ２５参照）とすることができる。また、マウス２４を使用してマウス・ポインタ４１２を正面用ビデオカメラ映像ボタン４０６に合わせてクリックし、さらに、マウス・ポインタ４１２を映像選択ボタン４０９に合わせてクリックすれば、正面用ビデオカメラ映像１０１を選択カメラ映像（後述する図７のＳ２５参照）とすることができる。また、マウス２４を使用してマウス・ポインタ４１２を右斜用ビデオカメラ映像ボタン４０７に合わせてクリックし、さらに、マウス・ポインタ４１２を映像選択ボタン４０９に合わせてクリックすれば、右斜用ビデオカメラ映像１０２を選択カメラ映像（後述する図７のＳ２５参照）とすることができる。
【００４２】
さらに、マウス２４を使用してマウス・ポインタ３１２を変更ボタン４１０に合わせてクリックすれば、変更ボタン４１０を選択することができる。この点は、解除ボタン４１１についても同様である。
尚、各種ボタン４０２〜４１１の選択はキーボード２３を使用して行うようにしてもよい。
【００４３】
図７に戻り、Ｓ２３では、解除を選択したか否かを判定する。この判定では、手動操作画面４０１上で解除ボタン４１１が選択されることによって、解除を選択したと判定する。ここで、解除を選択したと判定する場合には（Ｓ２３：ＹＥＳ）、本プログラムを終了する。一方、解除を選択していないと判定する場合には（Ｓ２３：ＮＯ）、Ｓ２４に進む。
【００４４】
Ｓ２４では、変更を選択したか否かを判定する。この判定では、手動操作画面４０１上で変更ボタン４１０が選択されることによって、変更を選択したと判定する。ここで、変更を選択していないと判定する場合には（Ｓ２４：ＮＯ）、上述したＳ２３に戻る。一方、変更を選択したと判定する場合には（Ｓ２４：ＹＥＳ）、Ｓ２５に進む。
【００４５】
Ｓ２５では、大型画像表示パネル１２に対する選択画像において選択カメラ映像を表示させ、その後に、上述したＳ２３に戻る。この点、選択画像や選択カメラ映像は、上述したようにして、手動操作画面４０１上で選択される。例えば、手動操作画面４０１上において、左斜画像２０３を選択画像として選択するとともに正面用ビデオカメラ映像１０１を選択カメラ映像として選択すると、大型画像表示パネル１２で左斜画像２０３として正面用ビデオカメラ映像１０１が切り替わって表示される。
【００４６】
次に、図６のＳ１５の自動操作処理について図８に基づいて説明する。図６のＳ１５の自動操作処理が実行されると、先ず、図８に示すように、Ｓ３１に進んで、パターンの選択が行われる。このパターンの選択では、例えば、図１２に示すようなパターン選択画面５０１がディスプレイ２２に表示される。さらに、パターン選択画面５０１には、パターンＡ選択ボタン５０２や、パターンＢ選択ボタン５０３、解除ボタン５０４、マウス・ポインタ５０５、詳細ボタン５０６、前頁ボタン５０７、次頁ボタン５０８などが表示される。従って、マウス２４を使用してマウス・ポインタ５０５をパターンＡ選択ボタン５０２に合わせてクリックすれば、パターンＡ選択ボタン５０２を選択することができる。この点は、パターンＢ選択ボタン５０３や、解除ボタン５０４、詳細ボタン５０６、前頁ボタン５０７、次頁ボタン５０８についても同様である。但し、パターン選択画面５０１上で解除ボタン５０４を選択すると、図８のプログラムは終了する。尚、各種ボタン５０２〜５０４，５０６〜５０８の選択はキーボード２３を使用して行うようにしてもよい。
【００４７】
また、ここで、詳細ボタン５０６を選択した後にパターンＡ選択ボタン５０２を選択すると、パターンＡ選択ボタン５０２にパターンＡの詳細内容（例えば、図９のパターンテーブル）が表示される。このとき、詳細ボタン５０６を再び選択すると、パターンＡ選択ボタン５０２は図１２の状態に復帰する。この点は、パターンＢ選択ボタン５０３についても同様である。
【００４８】
また、ＲＯＭ１６に予め記憶されている画像表示切替パターンが３個又は４個ある場合には、次頁ボタン５０８を選択すると、パターンＣ又はパターンＤを選択することが可能なパターン選択画面５０１が表示される。このとき、前頁ボタン５０７を選択すれば、パターン選択画面５０１は図１２の状態に戻る。この点は、パターンＥ、…などがＲＯＭ１６に予め記憶されている場合も同様である。
【００４９】
そして、図８のＳ３１のパターンの選択では、パターンＡ選択ボタン５０２を選択することによって、ＲＯＭ１６に予め記憶された画像表示切替パターンの中からパターンＡが選択されたパターンとされ、ＲＡＭ１７に読み出される。この点は、パターンＢ選択ボタン５０３を選択した場合も同様であり、また、パターン選択画面５０１の次頁がディスプレイ２２に表示されている場合も同様である。
【００５０】
また、図８のＳ３１のパターンの選択が行われた後には、例えば、図１３に示す自動操作画面６０１がディスプレイ２２に表示される。この点、自動操作画面６０１には、左斜画像枠６０２や、正面画像枠６０３、右斜画像枠６０４、左斜用ビデオカメラ映像枠６０５、正面用ビデオカメラ映像枠６０６、右斜用ビデオカメラ映像枠６０７、解除ボタン６０８、マウス・ポインタ６０９などが表示される。従って、マウス２４を使用してマウス・ポインタ６０９を解除ボタン６０８に合わせてクリックすれば、解除ボタン６０８を選択することができる。尚、この選択はキーボード２３を使用して行うようにしてもよい。
【００５１】
さらに、左斜画像枠６０２には大型画像表示パネル１２で左斜画像２０３として現在表示されている映像が表示され、正面画像枠６０３には大型画像表示パネル１２で正面画像２０１として現在表示されている映像が表示され、右斜画像枠６０４には大型画像表示パネル１２で右斜画像２０２として現在表示されている映像が表示される。また、左斜用ビデオカメラ枠６０５には左斜用ビデオカメラ映像１０３が表示され、正面用ビデオカメラ映像枠６０６には正面用ビデオカメラ映像１０１が表示され、右斜用ビデオカメラ映像枠６０７には右斜用ビデオカメラ映像１０２が表示される。
【００５２】
図８に戻り、Ｓ３２では、解除を選択したか否かを判定する。この判定では、自動操作画面６０１上で解除ボタン６０８が選択されることによって、解除を選択したと判定する。ここで、解除を選択したと判定する場合には（Ｓ３２：ＹＥＳ）、本プログラムを終了する。一方、解除を選択していないと判定する場合には（Ｓ３２：ＮＯ）、Ｓ３３に進む。
【００５３】
Ｓ３３では、第１画像処理が行われる。この第１画像処理では、大型画像表示パネル１２において、選択されたパターンのＬ１の映像を左斜画像２０３として表示し、選択されたパターンのＣ１の映像を正面画像２０１として表示し、選択されたパターンのＲ１の映像を右斜画像２０２として表示する。具体的に言えば、選択されたパターンがパターンＡの場合には、左斜画像２０３として左斜用ビデオカメラ映像１０３が表示され、正面画像２０１として正面用ビデオカメラ映像１０１が表示され、右斜画像２０２として右斜用ビデオカメラ映像１０２が表示される。
【００５４】
そして、Ｓ３４では、選択されたパターンのｔ１の時間が経過したか否かを判定する。この判定の基準は、例えば、このＳ３４によって当該ループ処理が開始された時点とする。また、ｔ１について具体的に言えば、選択されたパターンがパターンＡ（図９参照）の場合には、２０秒である。ここで、選択されたパターンのｔ１の時間が経過していないと判定する場合には（Ｓ３４：ＮＯ）、上述したＳ３２に戻る。一方、選択されたパターンのｔ１の時間が経過したと判定する場合には（Ｓ３４：ＹＥＳ）、Ｓ３５に進む。
従って、上記Ｓ３３の第１画像処理による大型画像表示パネル１２の表示内容はｔ１の時間継続される。
【００５５】
Ｓ３５では、解除を選択したか否かを判定する。この判定では、自動操作画面６０１上で解除ボタン６０８が選択されることによって、解除を選択したと判定する。ここで、解除を選択したと判定する場合には（Ｓ３５：ＹＥＳ）、本プログラムを終了する。一方、解除を選択していないと判定する場合には（Ｓ３５：ＮＯ）、Ｓ３６に進む。
【００５６】
Ｓ３６では、第２画像処理が行われる。この第２画像処理では、大型画像表示パネル１２において、選択されたパターンのＬ２の映像を左斜画像２０３として表示し、選択されたパターンのＣ２の映像を正面画像２０１として表示し、選択されたパターンのＲ２の映像を右斜画像２０２として表示する。具体的に言えば、選択されたパターンがパターンＡ（図９参照）の場合には、左斜画像２０３として正面用ビデオカメラ映像１０１が表示され、正面画像２０１として右斜用ビデオカメラ映像１０２が表示され、右斜画像２０２として左斜用ビデオカメラ映像１０３が表示される。
【００５７】
そして、Ｓ３７では、選択されたパターンのｔ２の時間が経過したか否かを判定する。この判定の基準は、例えば、このＳ３７によって当該ループ処理が開始された時点とする。また、ｔ２について具体的に言えば、選択されたパターンがパターンＡ（図９参照）の場合には、１５秒である。ここで、選択されたパターンのｔ２の時間が経過していないと判定する場合には（Ｓ３７：ＮＯ）、上述したＳ３５に戻る。一方、選択されたパターンのｔ２の時間が経過したと判定する場合には（Ｓ３７：ＹＥＳ）、Ｓ３８に進む。
従って、上記Ｓ３６の第２画像処理による大型画像表示パネル１２の表示内容はｔ２の時間継続される。
【００５８】
Ｓ３８では、解除を選択したか否かを判定する。この判定では、自動操作画面６０１上で解除ボタン６０８が選択されることによって、解除を選択したと判定する。ここで、解除を選択したと判定する場合には（Ｓ３８：ＹＥＳ）、本プログラムを終了する。一方、解除を選択していないと判定する場合には（Ｓ３８：ＮＯ）、Ｓ３９に進む。
【００５９】
Ｓ３９では、第３画像処理が行われる。この第３画像処理では、大型画像表示パネル１２において、選択されたパターンのＬ３の映像を左斜画像２０３として表示し、選択されたパターンのＣ３の映像を正面画像２０１として表示し、選択されたパターンのＲ３の映像を右斜画像２０２として表示する。具体的に言えば、選択されたパターンがパターンＡ（図９参照）の場合には、左斜画像２０３として右斜用ビデオカメラ映像１０２が表示され、正面画像２０１として左斜用ビデオカメラ映像１０３が表示され、右斜画像２０２として正面用ビデオカメラ映像１０１が表示される。
【００６０】
そして、Ｓ４０では、選択されたパターンのｔ３の時間が経過したか否かを判定する。この判定の基準は、例えば、このＳ４０によって当該ループ処理が開始された時点とする。また、ｔ３について具体的に言えば、選択されたパターンがパターンＡ（図９参照）の場合には、２５秒である。ここで、選択されたパターンのｔ３の時間が経過していないと判定する場合には（Ｓ４０：ＮＯ）、上述したＳ３８に戻る。一方、選択されたパターンのｔ３の時間が経過したと判定する場合には（Ｓ４０：ＹＥＳ）、上述したＳ３２に戻る。
従って、上記Ｓ３９の第３画像処理による大型画像表示パネル１２の表示内容はｔ３の時間継続される。
【００６１】
よって、自動操作処理においては、大型画像表示パネル１２の画像表示切替は、ｔ１時間の第１画像処理→ｔ２時間の第２画像処理→ｔ３時間の第３画像処理→ｔ１時間の第１画像処理→…が選択パターンに基づいて繰り返されることによって行われる。
【００６２】
以上詳細に説明したように、本実施の形態に係る画像表示システム１では、手動又は自動で切り替わるような画像表示の制御を行うことによって、劇場舞台１１の正面方向に位置する観衆Ａの視野角方向である第１視野角方向９７から視認することができる正面画像２０１と、劇場舞台１１の右斜方向に位置する観衆Ｂの視野角方向である第２視野角方向９８から視認することができる右斜画像２０２と、劇場舞台１１の左斜方向に位置する観衆Ｃの視野角方向である第３視野角方向９９から視認することができる左斜画像２０３と、を大型画像表示パネル１２に同時表示することが可能となる。
【００６３】
そして、この際には、劇場舞台１１の正面方向を含む第１視野角方向９７に位置する正面用ビデオカメラ２７Ｃからの正面用ビデオカメラ映像１０１や、劇場舞台１１の右斜方向を含む第２視野角方向９８に位置する右斜用ビデオカメラ２７Ｒからの右斜用ビデオカメラ映像１０２、劇場舞台１１の左斜方向を含む第３視野角方向９９に位置する左斜用ビデオカメラ２７Ｌからの左斜用ビデオカメラ映像１０３のいずれかが、正面画像２０１及び、右斜画像２０２、左斜画像２０３として、大型画像表示パネル１２に同時表示される。
【００６４】
従って、手動又は自動で切り替わるような画像表示の制御を行うに当り、劇場舞台１１の正面方向に位置する観衆Ａに対しては、観衆Ａの視野角方向である第１視野角方向９７とは異なる第２視野角方向９８に位置する右斜用ビデオカメラ２７Ｒからの右斜用ビデオカメラ映像１０２や、観衆Ａの視野角方向である第１視野角方向９７とは異なる第３視野角方向９９に位置する左斜用ビデオカメラ２７Ｌからの左斜用ビデオカメラ映像１０３が、正面画像２０１として多く表示されるように手動又は自動で切り替えれば、観衆Ａの視野角方向である第１視野角方向９７とは異なった第２視野角方向９８や第３視野角方向９９からの様子を多く見せることができる。
【００６５】
また、劇場舞台１１の右斜方向に位置する観衆Ｂに対しては、観衆Ｂの視野角方向である第２視野角方向９８とは異なる第１視野角方向９７に位置する正面用ビデオカメラ２７Ｃからの正面用ビデオカメラ映像１０１や、観衆Ｂの視野角方向である第２視野角方向９８とは異なる第３視野角方向９９に位置する左斜用ビデオカメラ２７Ｌからの左斜用ビデオカメラ映像１０３が、右斜画像２０２として多く表示されるように手動又は自動で切り替えれば、観衆Ｂの視野角方向である第２視野角方向９８とは異なった第１視野角方向９７や第３視野角方向９９からの様子を多く見せることができる。
【００６６】
また、劇場舞台１１の左斜方向に位置する観衆Ｃに対しては、観衆Ｃの視野角方向である第３視野角方向９９とは異なる第１視野角方向９７に位置する正面用ビデオカメラ２７Ｃからの正面用ビデオカメラ映像１０１や、観衆Ｃの視野角方向である第３視野角方向９９とは異なる第２視野角方向９８に位置する右斜用ビデオカメラ２７Ｒからの右斜用ビデオカメラ映像１０２が、左斜画像２０３として多く表示されるように手動又は自動で切り替えれば、観衆Ｃの視野角方向である第３視野角方向９９とは異なった第１視野角方向９７や第２視野角方向９８からの様子を多く見せることができる。
【００６７】
以上より、大型画像表示パネル１２に対して異なる視野角方向９７，９８，９９に位置する各観衆Ａ，Ｂ，Ｃは、自らの位置とは違った視野角方向９７，９８，９９に位置する各ビデオカメラ２７Ｃ，２７Ｒ，２７Ｌからのビデオカメラ映像１０１，１０２，１０３を大型画像表示パネル１２で同時に見ることができる。従って、各視野角方向９７，９８，９９に位置する観衆Ａ，Ｂ，Ｃがそれぞれ持っている表示内容に対するニーズについては、それぞれの専用画面を新たに設けなくても応えることが可能である。
【００６８】
尚、本発明は上記実施の形態に限定されるものでなく、その趣旨を逸脱しない範囲で様々な変更が可能である。
例えば、本実施形態に係る画像表示システム１の大型画像表示パネル１２は、劇場舞台１１の上方に設置されていた。この点、屋内外の競技場に設置された仮設ステージの上方に設置されても良いし、屋内外の競技場の所定壁面等に設置されても良い。
【００６９】
また、本実施形態に係る画像表示システム１では、大型画像表示パネル１２の左斜画像２０３や正面画像２０１や右斜画像２０２として、各ビデオカメラ２７Ｃ，２７Ｒ，２７Ｌからの静止画を表示させてもよい。
【００７０】
また、本実施形態に係る画像表示システム１の自動操作処理（図６のＳ１５，図８）は、ＲＯＭ１６に予め記憶されている画像表示切替パターンのいずれかに基づいて行われており（図９参照）、この画像表示切替パターンの内容は、大型画像表示パネル１２の左斜画像２０３と正面画像２０１と右斜画像２０２とが同じタイミングで映像が切り替えられるものであった。この点、各映像切替タイミングは異なるようにしてもよい。
【００７１】
さらに、画像表示切替パターンの内容は、当該自動操作処理の前までにキーボード２３やマウス２４を使って作成してもよい。そのためには、例えば、先ず、図１４に示すように、タイムテーブルシート（データが記入されていない新規なもの）をディスプレイ２２に表示させた後、このタイムテーブルシートを使用して、大型画像表示パネル１２の左斜画像２０３や正面画像２０１や右斜画像２０２についての各タイムスケジュールをキーボード２３やマウス２４などで作成し、ハードディスク３０に記憶させておく。そして、自動操作処理（図６のＳ１５，図８）を実行する際においては、このタイムスケジュールが記憶されたタイムテーブルシートをハードディスク３０からＲＡＭ１７に読み出し、このタイムスケジュールが繰り返されるようにして、大型画像表示パネル１２の左斜画像２０３や正面画像２０１や右斜画像２０２をそれぞれの指定映像とそれぞれの指定タイミングで表示を切り替えていく。このような制御によれば、各映像切替タイミングは同期することなく独立して行うことができる。
【産業上の利用可能性】
【００７２】
本発明は、視野角方向に応じて異なる画像を同時に表示する液晶ディスプレイの表示制御技術に適用し得る。
【図面の簡単な説明】
【００７３】
【図１】本発明の一実施形態に係る画像表示システムの大型画像表示パネルに表示される正面画像及び、右斜画像、左斜画像の一例を示した図である。
【図２】同画像表示システムの大型画像表示パネルの設置例を示した図である。
【図３】同画像表示システムの概略構成を示すブロック図である。
【図４】同画像表示システムの制御系を模式的に示すブロック図である。
【図５】同画像表示システムの大型画像表示パネルの構造を模式的に示した平面図である。
【図６】同画像表示システムにおける表示制御処理プログラムのフローチャートである。
【図７】同画像表示システムにおける手動操作処理プログラムのフローチャートである。
【図８】同画像表示システムにおける自動操作処理プログラムのフローチャートである。
【図９】同画像表示システムの画像表示切替パターンが格納されたパターンテーブルの一例を示した図である。
【図１０】同画像表示システムにおけるパーソナル・コンピュータのディスプレイに表示されるメニュー画面の一例を示した図である。
【図１１】同画像表示システムにおけるパーソナル・コンピュータのディスプレイに表示される手動操作画面の一例を示した図である。
【図１２】同画像表示システムにおけるパーソナル・コンピュータのディスプレイに表示されるパターン選択画面の一例を示した図である。
【図１３】同画像表示システムにおけるパーソナル・コンピュータのディスプレイに表示される自動操作画面の一例を示した図である。
【図１４】同画像表示システムの画像表示切替パターンとして入力により作成されたタイムテーブルの一例を示した図である。
【符号の説明】
【００７４】
１    画像表示システム
１２    大型画像表示パネル
１４    ＣＰＵ
２３    キーボード
２４    マウス
２６    グラフィックボード
２５Ｃ  正面用ビデオキャプチャボード
２５Ｌ  左斜用ビデオキャプチャボード
２５Ｒ  右斜用ビデオキャプチャボード
２７Ｃ  正面用ビデオカメラ
２７Ｌ  左斜用ビデオカメラ
２７Ｒ  右斜用ビデオカメラ
９７    第１視野角方向
９８    第２視野角方向
９９    第３視野角方向
１０１    正面用ビデオカメラ映像
１０２    右斜用ビデオカメラ映像
１０３    左斜用ビデオカメラ映像
２０１    正面画像
２０２    右斜画像
２０３    左斜画像
【図１】
2007225823.tif 000003
【図２】
2007225823.tif 000004
【図３】
2007225823.tif 000005
【図４】
2007225823.tif 000006
【図５】
2007225823.tif 000007
【図６】
2007225823.tif 000008
【図７】
2007225823.tif 000009
【図８】
2007225823.tif 000010
【図９】
2007225823.tif 000011
【図１０】
2007225823.tif 000012
【図１１】
2007225823.tif 000013
【図１２】
2007225823.tif 000014
【図１３】
2007225823.tif 000015
【図１４】
2007225823.tif 000016